(57)【要約】      （修正有）【課題】異なる色のペン先を簡単な操作で筆記具本体から繰り出すことができ、また、また、ペン先を繰り出す動作を極力少なくするとともに、ほぼ同時に異なる色のペン先を使用することができるノック式筆記具を提供する。【解決手段】筆記具本体１１とノック部１２を有するノック式筆記具であって、ノック部に副ペン先１４が出没可能な孔部１３を設け、副ペン先は、副ペン先に沿って移動可能な摺動部１５に挿入され、ノック部を下方に傾けると、副ペン先が、ノック部の孔から突出するとともに、副ペン先の後端部は、筆記具本体内部において揺動可能になり、副ペン先の後端部が段差部２１ｂに係合することで、ノック部の孔から副ペン先が突出した状態に維持される。ノック部を上方に傾けると、摺動部がノック部の方向からペン先の方向に移動することにより、副室内に副ペン先の後端部が収納されることで、副ペン先がノック部の孔に収納され、副ペン先が出没可能に配置されていることを特徴とする。【選択図】図２
0003189221.tif 000002
【実用新案登録請求の範囲】
【請求項１】
筆記具本体とノック部を有するノック式筆記具であって、前記ノック部に副ペン先が出没可能な孔部を設け、前記副ペン先は、筆記具本体内部において、副ペン先に沿って移動可能な摺動部に挿入され、前記ノック部を下方に傾けると、前記摺動部が、ペン先の方向からノック部の方向に移動することにより、前記副ペン先が、前記ノック部の孔から突出するとともに、副ペン先の後端部は、筆記具本体内部において揺動可能になり、前記副ペン先の後端部が段差部に係合することで、ノック部の孔から副ペン先が突出した状態に維持され、前記ノック部を上方に傾けると、前記摺動部がノック部の方向からペン先の方向に移動することにより、副ペン先における後端部の移動する方向が規定され、前記副室内に副ペン先の後端部が収納されることで、前記副ペン先が前記ノック部の孔に収納され、前記副ペン先が出没可能に配置されていることを特徴とするノック式筆記具。
【請求項２】
摺動部は、筒形状を呈することを特徴とする請求項１記載のノック式筆記具。
【請求項３】
摺動部は、コイルスプリングであることを特徴とする請求項１記載のノック式筆記具。
【請求項４】
ノック式筆記具においてペン先に黒インクを具備し、副ペン先に赤インクを具備した請求項１記載のノック式筆記具。
【考案の詳細な説明】
【技術分野】
【０００１】
本考案は、ノック式筆記具に関するものである。
【背景技術】
【０００２】
筆記具において、従来はインクの乾燥を防ぐためにキャップつきのボールペンが用いられていたが、キャップをかぶせるのを忘れ、そのキャップを紛失してしまうといった問題がある。これを避けるため、いわゆるノック式ボールペンが使用されている。このノック式ボールペンは、ボールペンのペン先と反対側に配置されているノック部を押圧し、一回押すと進退可能なペン先が突出した状態でロックされ、再度ノック部を押すとそのロックが解除されて、再びペン先が本体内に収納されるものである。
【０００３】
このようなノック式ボールペンにおいて、２色のペンを本体内に収納しているものが販売されている。この２色のペン先を具備したノック式ボールペンは、各色のインクがそれぞれ収納されているペン先に１対１で対応したノック部を具備し、目的の色のインクに対応したノック部を選択的に押圧することで、好みの色のペン先を突出することができるものである。
【０００４】
しかしながらこのようなペン先は選択的に使用することができるにとどまるものである。すなわち異なる色を、ほぼ同時に筆記具本体から繰り出すことができない。したがって、使用者が別の異なる色を希望する場合には、今まで使用しているペン先を一旦引っ込め筆記具本体内に収納した後に、希望する色のボールペンのペン先に接続しているノック部を使用者自ら押圧して、前記希望する色のペン先を繰り出さなくてはならない。
【０００５】
このような２色のボールペンを出没させるものについて、特開２００３−３３５０９３号において、軸筒内に異なる筆記色を有する複数の芯軸を収容するとともに、各芯軸に設けた操作部を、軸筒から外部に露出させ、この操作部によって、いずれかの芯軸を選択して使用するようにした筆記具において、各芯軸の操作部の触感を、互いに異なるものとしたことを特徴とする筆記具が開示されている。
【０００６】
上記公知技術において、これは色別に視認することなく操作部の感触で各色を認識できるというものであるが、異なる色をほぼ同時に筆記具本体から繰り出すことができないものである。すなわち、使用者が別の異なる色を希望する場合には、今まで使用しているペン先を一旦引っ込めて本体内に収納した後に、希望する色のボールペンのペン先の接続しているノック部を使用者自らが押圧して前記ペン先を繰り出さなくてはならない。
【０００７】
【特許文献１】特開２００３−３３５０９３号
【考案の開示】
【考案が解決しようとする課題】
【０００８】
本考案は前記の問題に鑑みてなされたものであり、その課題は、異なる色のペン先を簡単な操作で筆記具本体から繰り出すことができるノック式筆記具を提供することである。また、またペン先を繰り出す動作を極力少なくするとともに、ほぼ同時に異なる色のペン先を使用することができるノック式筆記具を提供することである。
【課題を解決するための手段】
【０００９】
前記の課題を解決するため、本考案は、筆記具本体とノック部を有するノック式筆記具であって、前記ノック部に副ペン先が出没可能な孔部を設け、前記副ペン先は、筆記具本体内部において、副ペン先に沿って移動可能な摺動部に挿入され、前記ノック部を下方に傾けると、前記摺動部が、ペン先の方向からノック部の方向に移動することにより、前記副ペン先が、前記ノック部の孔から突出するとともに、副ペン先の後端部は、筆記具本体内部において揺動可能になり、前記副ペン先の後端部が段差部に係合することで、ノック部の孔から副ペン先が突出した状態に維持され、前記ノック部を上方に傾けると、前記摺動部がノック部の方向からペン先の方向に移動することにより、副ペン先における後端部の移動する方向が規定され、前記副室内に副ペン先の後端部が収納されることで、前記副ペン先が前記ノック部の孔に収納され、前記副ペン先が出没可能に配置されていることを特徴とするノック式筆記具である。
【００１０】
本考案におけるノック式筆記具は、いわゆるノック式ボールペンに好適であるものの、それには限られることはない。また、ノック部を下方に傾けることによって、重力により副ペン先が突出する構成であるので、使用者にとって特別な操作が不要である。またノック式筆記具と独立した構成であるので、例えば、ノック式筆記具におけるペン先を本体部から突出した状態か否かにかかわらず、副ペン先を使用することができる。また、ペン先を下方にし、副ペン先を上方に傾ければ、副ペン先が本体内に瞬時に収納されるので、手首の動きのみ、と云う簡単な動作で、副ペン先を出没させることができる。
【００１１】
また、本考案におけるノック式筆記具の摺動部は、筒形状を呈することを特徴とするものである。摺動部が筒形状であるので、副ペン先に沿って摺動することができる。この場合、摺動部はペン先の方向に摺動した場合においては、副ペン先の後端部を拘束し、副室に前記後端部を誘導して入り込ませることができる。尚、この場合、摺動部は段差部に当接し、それ以上ペン先方向への移動ができないものであるが、副ペン先は、その段差部に当接せず副室に入り込むことができるので、副ペン先は筆記具本体内部に引っ込むことができる。ここで、後端部を拘束するとは、副室に入りこむようにするために、本体部に沿うような前後の動きは自由であるけれども、ペンの軸体に対して沿わないいわゆる振れる動きを制限するということである（図２Ｂ参照）。
【００１２】
また、摺動部は、コイルスプリングであることを特徴とするものである。筒形状を呈する形状を比較的安価に製作することができるので、摺動部にコイルスプリングを使用したものである。
【００１３】
また、本考案におけるノック式筆記具においてペン先に黒インクを具備し、副ペン先に赤インクを具備した上記ノック式筆記具である。このように、異なる色をそれぞれペン先と副ペン先に具備すれば、異なる色のインクをほぼ同時に使用することができる。
【考案の効果】
【００１４】
本発明は以上のように構成され、かつ、作用するものであるから、異なる色のペン先を簡単な操作で筆記具本体から繰り出すことができる筆記具を提供することができる。また、ペン先を繰り出す動作を極力少なくして、ほぼ同時に異なる色のペン先を使用することができる筆記具を提供することができる。
【考案を実施するための最良の形態】
【００１５】
図１において、Ａは、筆記具の斜視図であり、Ｂは、部分拡大図である。図２において、Ａは、筆記具の側面図であり、Ｂは、ＡのＩＩＢ−ＩＩＢ線断面図である。図３において、Ａは、筆記具の側面図であり、Ｂは、ＡのＩＩＩＢ−３Ｂ線断面図である。図４において、Ａは、筆記具の平面図であり、Ｂは、ＡのＩＶＢ−ＩＶＢ線断面図である。図５において、Ａは、筆記具の平面図であり、Ｂは、ＡのＶＢ−ＶＢ線断面図である。
【００１６】
本実施例の筆記具１０は、いわゆるノック式ボールペンである。筆記具１０は、筆記具本体１１に、ノック部１２とそれと接続された中空軸部２１を有する。その中空軸部２１の先端に複数の歯部２１ａを設け、その歯部２１ａに接するようにカム部２２を配置している。また、カム部２２に羽部２２ａを複数有している。本実施例では、羽部２２ａを４個有し、それぞれ、９０度づつずらしており、カム部２２において、放射状に配置している。筆記具本体１１の内周部にカム受け部３１を複数設けそのカム受け部３１の間に溝部３２を配置している。すなわち、筆記具本体１１の内周面にカム受け部３１と溝部３２をとなり合うように複数配置している。
【００１７】
カム部２２はペン先４０に接続される。ペン先４０は、突起部４１を有し、バネ４２の一端を係止する。バネ４２の他端は筆記具本体１１の内部に係止され、ペン先４０を、筆記具本体１１の内部に収納する方向、すなわち引っ込む方向に付勢されている。尚、図１Ｂ中、理解容易のため、ペン先４０の一部を省略し、その部分を破線で表している。
【００１８】
上記構成の筆記具１０において、バネ４２に抗して、ノック部１２を押すと、当該ノック部１２と接続された中空軸部２１が押され、溝部３２内をその羽部２２ｂがペン先４０の方向に摺動する。従って、ノック部１２に接続された中空軸部２１がカム部２２を押すことにより、溝部３２に入り込んでいるカム部２２の羽部２２ａが、当該溝部３２から脱出し、カム本体２３に接続しているペン先４０は、筆記具本体１１から突出する。
【００１９】
そのとき、当該溝部３２から脱出したカム部２２の羽部２２ａは当該カム部２２ごと、中空軸部２１の先端における複数の歯部２１ａによって、中空軸部２１の軸方向に対し一定の角度で中空軸部２１回りに回転する。それによって、当該溝部３２から脱出したカム本体部２２の羽部２２ａは、バネ４２の弾発力によって、ペン先４０が、筆記具本体１１に収納される方向に若干引き戻され、カム受け部３１に当接することで、それ以上ペン先４０が筆記具１０の内部に収納される方向に引き戻されるのを阻止する。これによって、ペン先４０が筆記具１０の内部から突出し、そのままの状態で固定されるので、使用者はペン先４０によって筆記することができる。
【００２０】
次にバネ４２に抗して、再びノック部１２を押すと、当該ノック部１２と接続された中空軸部２１が押され、カム受け部３１に当接したカム本体部２２の羽部２２ａが、前記カム受け部３１から離れる。このとき、中空軸部２１の先端に複数設けた歯部２１ａにより、カム部２２が、一定の角度、中空軸部２１回りに回転する。この角度はカム受け部３１と溝部３２を交互に羽部２２ｂが配置されるような角度に設定する。
【００２１】
その後、ノック部１２を押す力を緩めると、ペン先４０が収納される方向に付勢されているバネ４２の弾発力によって、前記カム部２２の羽部２２ａが、筆記具本体１１の内周部に配置されているカム受け部３１とカム部の間に配置されている溝部３２を通過することによって、ペン先４０が筆記具本体１１内に収納される。尚、このように、ノック部１２を押すことによりペン先４０が出没する構成は公知である。
【００２２】
上記構成のノック式の筆記具１０において、ノック部１２に孔部１３を設けている。当該孔部１３と中空軸部２１の中空部分２１ａは通じている構成であり、この内部に副ペン先１４を配置している。また副ペン先１４は、摺動部１５の中に挿入された状態である。なお、摺動部１５は、円筒形が好ましく、コイルスプリングが好ましい。
【００２３】
摺動部１５は、副ペン先１４と、中空軸部２１の中空部分２１ａの間に差し込んで嵌め合わせるものであり、中空軸部２１の中空部分２１ａにおいて筆記具本体１１に沿う方向すなわち、ペン先４０の方向と、副ペン先１４の方向にそれぞれ移動自在である。中空軸部２１の中空部分２１ａはさらに、段差部２１ｂを介して中空副室２１ｃに通じている。中空副室２１ｃは、中空部分２１ａに比べその径が小であり、副ペン先１４の後端部が通過可能であるが、摺動部１５の径はそれよりも大であるために、前記摺動部１５はその中空副室２１ｃに入り込めない構成である。また、摺動部１５が段差部２１ｂに当接した場合において、その摺動部１５の内部１５ａと中空副室２１ｃの内部が、ほぼ段差のない構成である（図２Ｂ参照）。
【００２４】
このような構成の筆記具１０において、ノック部１２を下方に傾ける（図３Ｂ及び図５Ｂにおいて、図面右部分のノック部１２を下方に傾ける）と移動自在の摺動部１５がペン先４０の方向から副ペン先１４の方向へ移動する。それと同時に、副ペン先１４もノック部１２に孔部１３から突出した状態となる。この場合、摺動部１５がペン先４０の方向から副ペン先１４の方向に移動すると、副ペン先１４の後端部１４ａがペン先４０の方向から副ペン先１４の方向以外の方向への拘束が解かれた状態になり、中空軸部２１の内部において揺動することができる状態となる。
【００２５】
この状態において、筆記具１０は傾斜した状態であることから、副ペン先１４の後端部１４ａも傾斜した状態で筆記することによって副ペン先１４に押圧力が加わるので、その場合に、後端部１４ａは、前記副ペン先１４に押圧力が加わることとなり、段差部２１ｂに前記後端部１４ａが当接した状態で維持される。従って、副ペン先１４がノック部１２の孔部１３から、突出した状態に維持され、副ペン先１４においても筆記することができる。
【００２６】
副ペン先１４をノック１２に収納するためには、ノック部１２を上方に傾ける。この場合、上記のとおり筆記具本体１１に沿って移動自在の摺動部１５が、副ペン先１４の方向からペン先４０の方向へ移動する。もっとも当該摺動部１５は、上記のとおり副ペン先１４と、中空軸部２１の中空部分２１ａに嵌合されるものであり、かつ、中空部分２１ａ内に配置されているので、この中空部分２１ａの範囲内を移動できるに過ぎないものである。
【００２７】
摺動部１５は、副ペン先１４の方向からからペン先４０の方向へ移動するが、中空軸部２１の中空部分２１ａと中空副室２１ｃの間に介在する段差部２１ｂによりその移動を阻まれる。その場合、副ペン先１４の後端部１４ａは、摺動部１５によって再び、ペン先４０の方向から副ペン先１４の方向以外の方向への動きを拘束され、その筆記具本体１１に対して平行でない方向の揺動を阻止される。従って、その揺動を阻止された副ペン先１４の後端部１４ａは、摺動部１５の内部１５ａと中空副室２１ｃの内部がほぼ段差のない構成であるので、その揺動が規制される結果、段差部２１ｂに当接することなく、中空副室２１ｃ内に誘導され移動することになる。よって、中空副室２１ｃ内に副ペン先１４の後端部１４ａが入り込むことで当該副ペン先１４が、ノック部１２に収納された状態となる。
【００２８】
このように、筆記具１０を使用する場合に、ノック部１２を押してペン先４０が筆記具１０から突出した状態であっても、また収納された状態であっても、独立して副ペン先１４を使用することができる。従って、たとえば、ペン先４０に黒色のインクを配置し、副ペン先１４に赤色のインクを配置すれば、手首の動作だけで、黒色のインクと赤色のインクをほぼ同時に使用することができる。
【図面の簡単な説明】
【００２９】
【図１】Ａは、筆記具の斜視図であり、Ｂは、  部分拡大図。
【図２】Ａは、筆記具の側面図であり、Ｂは、ＡのＩＩＢ−ＩＩＢ線断面図。
【図３】Ａは、筆記具の側面図であり、Ｂは、ＡのＩＩＩＢ−３Ｂ線断面図。
【図４】Ａは、筆記具の平面図であり、Ｂは、ＡのＩＶＢ−ＩＶＢ線断面図。
【図５】Ａは、筆記具の平面図であり、Ｂは、ＡのＶＢ−ＶＢ線断面図。
【符号の説明】
【００３０】
１０、筆記具
１１、筆記具本体
１２、ノック部
１３、孔部
１４、副ペン先
１４ａ、後端部
１５、摺動部
２１、中空軸部
２１ｂ、段差部
２１ｃ、中空副室
２２、カム部
２２ａ、羽部
３１、カム受け部
３２、溝部
４０、ペン先
４１、突起部
４２、バネ
【図１】
0003189221.tif 000003
【図２】
0003189221.tif 000004
【図３】
0003189221.tif 000005
【図４】
0003189221.tif 000006
【図５】
0003189221.tif 000007